(57)【要約】【課題】電気機器が傾いた状態で使用されることによる不具合を、その利便性が出来るだけ損なわれないように、回避させることが可能となる傾斜監視装置を提供する。【解決手段】電気機器に設けられ、該電気機器の傾斜を監視する傾斜監視装置であって、前記傾斜が所定の許容範囲を超えている場合に、所定内容の表示または音声出力を通じてユーザに前記傾斜の修正を促す、修正催促部と、前記傾斜が前記許容範囲を超えており、かつ、一定の条件を満たす場合に、前記電気機器が行う動作の少なくとも一部を禁止する禁止動作を行う禁止動作部と、を備えた傾斜監視装置とする。【選択図】図５
2011146313.tif 000002
【特許請求の範囲】
【請求項１】
電気機器に設けられ、該電気機器の傾斜を監視する傾斜監視装置であって、
前記傾斜が所定の許容範囲を超えている場合に、所定内容の表示または音声出力を通じてユーザに前記傾斜の修正を促す、修正催促部と、
前記傾斜が前記許容範囲を超えており、かつ、一定の条件を満たす場合に、前記電気機器が行う動作の少なくとも一部を禁止する禁止動作を行う禁止動作部と、
を備えたことを特徴とする傾斜監視装置。
【請求項２】
前記禁止動作部は、
前記電気機器の傾斜が、前記許容範囲の外側に設定された重度の異常範囲に入っている場合に、前記禁止動作を行うことを特徴とする請求項１に記載の傾斜監視装置。
【請求項３】
温度を検出する温度検出部を備え、
前記禁止動作部は、
前記傾斜が前記許容範囲を超えた時から所定時間が経過しても、前記傾斜が依然として前記許容範囲に収まっていないことである第１条件、および、
前記傾斜が前記許容範囲を超えており、かつ、前記検出された温度が所定閾値を超えていることである第２条件、の各条件のうち、
少なくとも一方が満たされた場合には、前記傾斜が前記準許容範囲を超えているか否かに関わらず、前記禁止動作を行うことを特徴とする請求項２に記載の方向検出装置。
【請求項４】
前記禁止動作部は、
前記傾斜が前記許容範囲を超えた時から所定時間が経過しても、前記傾斜が依然として前記許容範囲に収まっていない場合に、前記禁止動作を行うことを特徴とする請求項１に記載の傾斜監視装置。
【請求項５】
温度を検出する温度検出部を備え、
前記禁止動作部は、
前記傾斜が前記許容範囲を超えており、かつ、前記検出された温度が所定閾値を超えている場合に、前記禁止動作を行うことを特徴とする請求項１に記載の傾斜監視装置。
【請求項６】
ＤＶＤ等のディスクを回転させる電気機器に備えられた、請求項１から請求項５の何れかに記載の傾斜監視装置であって、
前記禁止動作は、
前記ディスクの回転を禁止する動作であることを特徴とする傾斜監視装置。
【請求項７】
請求項１から請求項６の何れかに記載の傾斜監視装置を備えたことを特徴とする電気機器。
【発明の詳細な説明】
【技術分野】
【０００１】
本発明は、電気機器の傾斜を監視する傾斜監視装置、およびこれを備えた電気機器に関する。
【背景技術】
【０００２】
現在、各種電気機器の使用形態に関する仕様としては、携帯型や据置き型などが挙げられる。携帯型のもの（例えば携帯電話機）は、ユーザが手軽に持ち運びできる点で便利ではあるが、比較的大型の電気機器については、据置き型のものが主流である。そして特に据置き型の電気機器においては、推奨される設置の方向（推奨設置方向）が、予め設定されていることが多い。
【０００３】
例えばＤＶＤプレイヤについては、ＤＶＤを出来るだけ安定的に回転させるべく、その回転軸が重力方向にほぼ一致していることが望ましい。そこでＤＶＤプレイヤの場合、当該回転軸が重力方向に一致するように、推奨設置方向が設定される。また、発熱量の大きい部品が組み込まれている電気機器については、この部品が電気機器の下方に位置した状態で使用されると、高温の空気が他の部品に触れやすくなるために好ましくない。そこでこの場合、発熱量の大きい部品が出来るだけ上方に位置するように、推奨設置方向が設定される。
【０００４】
推奨設置方向が設定されている場合には、通常、推奨設置方向を考慮して電気機器を設置すべき旨が、取扱説明書などに記載される。これにより当該電気機器を利用するユーザは、推奨設置方向に留意しつつ、電気機器を設置することとなる。
【先行技術文献】
【特許文献】
【０００５】
【特許文献１】特開２００７−１２８８７０号公報
【特許文献２】特開２００６−３０８３４８号公報
【特許文献３】特開２００６−０６４６８５号公報
【特許文献４】特開２００５−２６７９１８号公報
【特許文献５】特開２００５−２２２７４３号公報
【発明の概要】
【発明が解決しようとする課題】
【０００６】
推奨設置方向が設定されている場合、基本的には、これに従って電気機器が設置されることになる。しかし場合によっては、推奨設置方向から許容範囲を超えて傾いた状態で、電気機器が設置される可能性も否めない。例えば、ユーザが推奨設置方向の存在を知らなかった場合や、推奨設置方向にあまり注意が払われていなかった場合に、このような事態が生じ得る。
【０００７】
このような事態を考慮し、推奨設置方向が設定されている電気機器においては、誤って傾いた状態で設置されたことに起因する不具合を、未然に回避するための手段が設けられていることが望ましい。
【０００８】
このような手段として、例えば「本機を正しい向きに設置してください」といった内容の表示や音声出力を通じて、ユーザに傾斜の修正を催促する手段が設けられていれば、傾きを修正すべきことをユーザに気付かせることが可能である。しかしユーザによっては、このような催促にも関わらず、傾きを修正すべきことに気付かない可能性があり、気付いたとしても、例えば傾いた状態を修正する作業が煩わしく感じられ、そのまま使用が継続される可能性も否めない。
【０００９】
また一方で、許容範囲を超えて傾いている場合に、電気機器の動作の一部または全部を禁止する手段を、電気機器に設けておくことが考えられる。このようになっていれば、許容範囲を超えて傾いた状態のままで電気機器が使用される事態を、より強制的に防ぐことが可能である。しかしながら、傾きが許容範囲を超えたときに動作が直ちに禁止されるようにすることは、電気機器の使用に支障を来たして利便性を損なうおそれもあり、行き過ぎである場合が多い。
【００１０】
本発明は上述した問題に鑑み、電気機器が傾いた状態で使用されることによる不具合を、その利便性が出来るだけ損なわれないように、回避させることが可能となる傾斜監視装置の提供を目的とする。またこのような傾斜監視装置を備えた電気機器の提供をも目的とする。
【課題を解決するための手段】
【００１１】
上記目的を達成するため、本発明に係る傾斜監視装置は、電気機器に設けられ、該電気機器の傾斜を監視する傾斜監視装置であって、前記傾斜が所定の許容範囲を超えている場合に、所定内容の表示または音声出力を通じてユーザに前記傾斜の修正を促す、修正催促部と、前記傾斜が前記許容範囲を超えており、かつ、一定の条件を満たす場合に、前記電気機器が行う動作の少なくとも一部を禁止する禁止動作を行う禁止動作部と、を備えた構成とする。
【００１２】
本構成によれば、傾斜が許容範囲を超えた場合には、ユーザに傾斜の修正を促すようにし、一定の条件を満たした場合に限り、禁止動作が実行されるようになっている。そのため、電気機器が傾いた状態で使用されることによる不具合を、その利便性が出来るだけ損なわれないように、回避させることが可能となる。
【００１３】
また上記構成において、前記禁止動作部は、前記電気機器の傾斜が、前記許容範囲の外側に設定された重度の異常範囲に入っている場合に、前記禁止動作を行う構成としてもよい。
【００１４】
本構成によれば、傾斜の程度が特に大きい状態で電気機器が使用されることによる不具合を、回避させることが可能となる。また傾斜の程度が特に大きい状態である場合に、ユーザに傾斜の修正を、より強く促すことが可能となる。
【００１５】
また上記構成において、温度を検出する温度検出部を備え、前記禁止動作部は、前記傾斜が前記許容範囲を超えた時から所定時間が経過しても、前記傾斜が依然として前記許容範囲に収まっていないことである第１条件、および、前記傾斜が前記許容範囲を超えており、かつ、前記検出された温度が所定閾値を超えていることである第２条件、の各条件のうち、少なくとも一方が満たされた場合には、前記傾斜が前記準許容範囲を超えているか否かに関わらず、前記禁止動作を行う構成としてもよい。
【００１６】
本構成によれば、傾斜の程度が特に大きい状態のときだけでなく、傾斜が許容範囲を超えた状態が長時間にわたって修正されなかった場合や、傾斜が許容範囲を超えた状態で電気機器の温度が上昇し過ぎた場合にも、このような状況で電気機器が使用されることによる不具合を、回避させることが可能となる。またこのような状況である場合に、ユーザに傾斜の修正を、より強く促すことが可能となる。
【００１７】
また上記構成において、前記禁止動作部は、前記傾斜が前記許容範囲を超えた時から所定時間が経過しても、前記傾斜が依然として前記許容範囲に収まっていない場合に、前記禁止動作を行う構成としてもよい。
【００１８】
本構成によれば、傾斜が許容範囲を超えた状態が長時間にわたって修正されなかった場合に、このような状況で電気機器が使用されることによる不具合を、回避させることが可能となる。またこのような状況である場合に、ユーザに傾斜の修正を、より強く促すことが可能となる。
【００１９】
また上記構成において、温度を検出する温度検出部を備え、前記禁止動作部は、前記傾斜が前記許容範囲を超えており、かつ、前記検出された温度が所定閾値を超えている場合に、前記禁止動作を行う構成としてもよい。
【００２０】
本構成によれば、傾斜が許容範囲を超えた状態で電気機器の温度が上昇し過ぎた場合に、このような状況で電気機器が使用されることによる不具合を、回避させることが可能となる。またこのような状況である場合に、ユーザに傾斜の修正を、より強く促すことが可能となる。
【００２１】
また上記構成としてより具体的には、ＤＶＤ等のディスクを回転させる電気機器に備えられるものであり、前記禁止動作は、前記ディスクの回転を禁止する動作である構成としてもよい。また上記構成の傾斜監視装置を備えた電気機器であれば、上記構成による利点を享受することが可能となる。
【発明の効果】
【００２２】
上述した通り、本発明に係る傾斜監視装置によれば、傾斜が許容範囲を超えた場合には、ユーザに傾斜の修正を促すようにし、一定の条件を満たした場合に限り、禁止動作が実行されるようになっている。そのため、電気機器が傾いた状態で使用されることによる不具合を、その利便性が出来るだけ損なわれないように、回避させることが可能となる。
【図面の簡単な説明】
【００２３】
【図１】本発明の実施形態に係るディスクプレイヤの構成図である。
【図２】本発明の実施形態に係る傾斜センサの設置態様に関する説明図である。
【図３】本発明の実施形態に係る傾斜センサの構成図である。
【図４】本発明の実施形態に係る傾斜センサの動作に関する説明図である。
【図５】保護動作に関するフローチャートである。
【発明を実施するための形態】
【００２４】
以下、本発明の実施形態について図面を参照しながら説明する。図１は、本実施形態に係るディスクプレイヤ（電気機器の一種）の構成図である。本図に示すように当該ディスクプレイヤ１は、ディスクドライバ１１、映像音声処理部１２、操作部１３、制御部１４、付属ディスプレイ１５、傾斜監視部１６、傾斜センサ１７、温度センサ１８、および計時部１９などを備えている。
【００２５】
ディスクドライバ１１は、ユーザによってディスク２がセットされる。なおディスク２は、一例としてＣＤやＤＶＤ（ブルーレイディスクを含む）であり、映像や音声の情報を含んだコンテンツの情報が記録されたものである。ディスクドライバ１１は、制御部１６の指示に基づいて、セットされたディスク２を回転させてディスク２に記録されている情報を読み取り、読み取った情報を後段側に送出する。
【００２６】
映像音声処理部１２は、ディスクドライバ１１から送出されてきた情報に基づいて、ディスプレイに映像を表示させるための映像信号、および、スピーカに音声を出力させるための音声信号を、それぞれ生成する。映像信号および音声信号は、ディスクプレイヤ１に接続されている外付けのディスプレイおよびスピーカに、それぞれ送出される。これにより、ディスク２に記録されているコンテンツが再生されることになる。
【００２７】
操作部１３は、ボタンスイッチやリモートコントロール装置などを有しており、ユーザの操作を受け付ける。操作の内容は、制御部１４に伝送される。これにより制御部１４は、ユーザの意図を反映させた制御を行うことが可能となっている。
【００２８】
制御部１４は、例えばＣＰＵによって形成されており、ディスクプレイヤ１の機能が発揮されるように、各部を適切に制御する。例えば、ユーザによるディスク再生の指示がなされたときには、ディスクドライバ１１および映像音声処理部１２を制御し、ディスク２に記録された情報に基づく映像信号および音声信号が、外部に出力されるようにする。
【００２９】
付属ディスプレイ１５は、ディスクプレイヤ１の本体に設けられた小型のディスプレイである。付属ディスプレイ１５は、現在時刻や再生時間など、各種のメッセージを表示させることが可能となっている。
【００３０】
傾斜監視部１６は、傾斜センサ１７の検出結果に基づいてディスクプレイヤ１の傾斜を監視し、当該監視の結果に応じて各種の動作を行う。傾斜監視部１６が行う動作の内容については、改めて詳細に説明する。
【００３１】
なおここでの「傾斜」とは、予め設定された推奨される設置方向（推奨設置方向）を基準とした傾きのことである。推奨設置方向は、重力方向に対して電気機器がどの向きに設置されるのが良いかを表しており、ディスクプレイヤ１の場合は、ディスク２を回転させる際の回転軸が、重力方向に一致する方向（ディスク２を最も安定的に回転させることが可能な方向）として設定されている。
【００３２】
傾斜センサ１７は、ディスクプレイヤ１の傾斜を継続的に検出する装置（アダプタ）であり、当該検出の結果は、リアルタイムに傾斜監視部１６へ通知される。傾斜センサ１７は、図２に示すように、ディスクプレイヤ１内部のプリント基板（ＰＣＢ）２１の実装面に、取り付けられている。なお傾斜センサ１７は、ディスクプレイヤ１が推奨設置方向に設置された場合に、後述する穴３３の位置が曲面３０の最も低い位置にくるように、配置されている。
【００３３】
図３は、傾斜センサ１７の構成図を表している。なお図３の下段は、プリント基板２１の実装面に直交する面で切断した場合の断面図を表し、図３の上段は、線分ＸＸ’で切断した場合の断面図を表している。
【００３４】
図３に示すように、傾斜センサ１７の内部には、略半球の形状に窪んで形成された曲面３０と、平板３１とによって囲まれた空間が設けられている。そしてこの空間内には、金属（導電性材質）で形成された球状体３２が、自由に転がることが可能な状態で設けられている。また曲面３０には、円筒状に窪んで形成された穴３３が設けられており、これを囲むように溝３４も設けられている。穴３３の直径や溝３４の幅は、球状体３２の直径よりも少し小さくなっている。
【００３５】
そのため球状体３２は、穴３３や溝３４の位置に到達したときに、その一部（例えば全体の三分の一程度）が、穴３３や溝３４に嵌った状態となる。また、穴３３および溝３４の縁には電極３５が配置されており、傾斜センサ１７は、例えば電極３５同士の間の抵抗を検知することによって、球状体３２が穴３３或いは溝３４に嵌っているか否かを、継続的に検知することが可能となっている。また曲面３０上における溝３４の内側には、穴３３から遠ざかる方向への球状体３２の転がりを、ある程度抑制するためのストッパ３６が設けられている。
【００３６】
上述した構成により、傾斜センサ１７は次のように動作する。ディスクプレイヤ１が推奨設置方向に設置されている場合（傾斜が無い場合）には、穴３３の位置は曲面３０の最も低い位置であるため、球状体３２は、穴３３に嵌った状態となる。このとき傾斜センサ１７は、球状体３２が穴３３に嵌った状態であることの情報を、ディスクプレイヤ１の傾きが許容範囲に収まっていることを表す情報として、傾斜監視部１６に伝送する。
【００３７】
そしてディスクプレイヤ１の傾斜の角度θが、ある程度の角度（「角度α」とする）を超えるまでは、図４（Ａ）に示すように、球状体３２は穴３３に嵌った状態を維持する。従ってこのときも傾斜センサ１７は、球状体３２が穴３３に嵌った状態であることの情報を、ディスクプレイヤ１の傾きが許容範囲に収まっていることを表す情報として、傾斜監視部１６に伝送する。
【００３８】
しかしディスクプレイヤ１の傾斜が角度αを越えた場合は、球状体３２は穴３３の縁を乗り越え、穴３３から離れることになる（ただし、ストッパ３６を乗り越えるには至っていないとする）。このとき傾斜センサ１７は、球状体３２が穴３３および溝３４に嵌っていない状態であることの情報を、ディスクプレイヤ１の傾きが許容範囲を超えた（ただし、重度の異常範囲には入っていない）ことを表す情報として、傾斜監視部１６に伝送する。
【００３９】
なお、穴３３から離れた球状体３２は、重力の作用により、傾斜している方向（曲面３０の外側の方向）に向かって転がっていく。そしてディスクプレイヤ１の傾斜の角度θが、角度αよりも大きいある程度の角度（「角度β」とする）を超えるまでは、図４（Ｂ）に示すように、球状体３２はストッパ３６の内側に位置する。このときも傾斜センサ１７は、球状体３２が穴３３および溝３４に嵌っていない状態であることの情報を、ディスクプレイヤ１の傾きが許容範囲を超えた（ただし、重度の異常範囲には入っていない）ことを表す情報として、傾斜監視部１６に伝送する。
【００４０】
しかしディスクプレイヤ１の傾斜の角度θが角度βを越えた場合は、図４（Ｃ）に示すように、球状体３２はストッパ３６を乗り越え、溝３４に嵌ることとなる。このとき傾斜センサ１７は、球状体３２が溝３４に嵌った状態であることの情報を、ディスクプレイヤ１の傾きが許容範囲を超えて、重度の異常範囲に入ったことを表す情報として、傾斜監視部１６に伝送する。
【００４１】
なお、球状体３２が穴３３から一旦離れた後でも、ディスクプレイヤ１が推奨設置方向に設置されれば、球状体３２は再び穴３３に嵌った状態となる。これにより、ディスクプレイヤ１の傾きが許容範囲に収まったことを表す情報が、傾斜監視部１６に伝送されることとなる。
【００４２】
上述したように傾斜センサ１７は、現在のディスクプレイヤ１の傾斜が、許容範囲に収まっている状態（傾斜の角度θが、角度α以下）、許容範囲を超えているが重度の異常範囲には達していない状態（傾斜の角度θが、角度αより大きく、角度β以下）、および、許容範囲を超えて重度の異常状態に達している状態（傾斜の角度θが、角度βより大きい）のうちの、何れとなっているかを検出し、傾斜監視部１６に通知するものとなっている。
【００４３】
図１に戻り、温度センサ１８は、ディスクプレイヤ１の内部の温度を継続的に検知し、検知結果を傾斜監視部１６に通知する。また計時部１９は、傾斜監視部１６の指示に応じて、ある特定されたタイミングからの経過時間をカウントする。当該カウントの結果は、傾斜監視部１６に通知される。
【００４４】
傾斜監視部１６は、ディスクプレイヤ１が傾いた状態で使用されることによる不具合を、その利便性が出来るだけ損なわれないようにしつつ、回避させるための動作（以下、便宜的に「保護動作」と称する）を実行する。保護動作の内容について、図５のフローチャートを参照しながら、以下に説明する。
【００４５】
通常時、傾斜監視部１６は、ディスクプレイヤ１の傾斜が許容範囲を超えたか否かを監視する（ステップＳ１１）。そして許容範囲を超えたことが検出された場合には（ステップＳ１１のＹ）、傾斜監視部１６は、付属ディスプレイ１５に催促メッセージを表示させるように、制御部１４に指示を与える（ステップＳ１２）。この催促メッセージは、ユーザにディスクプレイヤ１の傾斜の修正を促すためのものであり、一例としては「本機を正しい向きに設置してください」という内容になっている。催促メッセージは、当該表示が停止されるまで（後述するステップＳ２０を参照）、そのまま継続的に表示される。
【００４６】
また傾斜監視部１６は、ディスクプレイヤ１の傾斜が許容範囲を超えたことが検出された時点からの経過時間を、計時部１９にカウントさせる。また傾斜監視部１６は、ディスクプレイヤ１の傾斜が重度の異常範囲にまで達したか（ステップＳ１３）、計時部１９にカウントさせている経過時間が基準時間を越えたか（ステップＳ１４）、温度センサ１８によって検知された温度が基準温度を超えたか（ステップＳ１５）、および、ディスクプレイヤ１の傾斜が許容範囲に戻ったか（ステップＳ１６）を、それぞれ監視する。
【００４７】
なお「基準時間」は、ユーザ等がディスクプレイヤ１の設置状態を改善させ、その傾斜を修正する作業を行うのに十分と見込まれる時間（例えば１時間）に、予め設定されている。また「基準温度」は、ディスクプレイヤ１の正常な動作が維持されると見込まれる温度の上限（例えば６０℃）に、予め設定されている。
【００４８】
そして、ディスクプレイヤ１の傾斜が許容範囲に戻った場合（ステップＳ１６のＹ）には、傾斜監視部１６は、催促メッセージの表示を停止させた上で（ステップＳ２０）、ステップＳ１１の動作に戻る。
【００４９】
ただし、傾斜が重度の異常範囲に達した場合（ステップＳ１３のＹ）、経過時間が基準時間を越えた場合（ステップＳ１４のＹ）、もしくは、検知温度が基準温度を超えた場合（ステップＳ１５のＹ）には、傾斜監視部１６は、ディスク２の回転動作を禁止するように、制御部１４に指示を与える（ステップＳ１７）。
【００５０】
これにより制御部１４は、当該禁止が解除されるまで（後述するステップＳ１９を参照）、ディスク２を回転させないようにする。例えば制御部１４は、ユーザによるディスク再生の指示がなされても、ディスクの回転が禁止されている旨のメッセージを付属ディスプレイ１５に表示させ、当該指示を受け付けないようにする。
【００５１】
ディスク２の回転動作が禁止されるように指示を与えた後、傾斜監視部１６は、ディスクプレイヤ１の傾斜が許容範囲内に戻ったかを監視する（ステップＳ１８）。そして許容範囲内に戻った場合には（ステップＳ１８のＹ）、傾斜監視部１６は、ディスク２の回転動作の禁止を解除するように制御部１４に指示を与える（ステップＳ１９）。その後、傾斜監視部１６は、催促メッセージの表示を停止させた上で（ステップＳ２０）、ステップＳ１１の動作に戻る。
【００５２】
傾斜監視部１６が上述した一連の保護動作を行うことにより、ディスクプレイヤ１は以下に説明する特長を備える。
【００５３】
まずディスクプレイヤ１においては、その傾斜が許容範囲を超えた場合に、催促メッセージが表示される（ステップＳ１１、Ｓ１２）。そのためユーザは、この傾斜を修正すべきことに気付き、ディスクプレイヤ１の設置状態を改善させ、動作環境（本実施形態では特に、ディスク２の回転の安定性）をより良くした上で、ディスクプレイヤ１を使用することができる。なおこの段階では、ディスク２の回転動作が禁止されるには至らないため、ディスク２の再生が強制的に中断されるといった事態にはならず、ユーザにとっての利便性は殆ど損なわれない。
【００５４】
またディスクプレイヤ１の傾斜が許容範囲を超えた上で、更にその傾斜が重度の異常範囲にまで達した場合には、この状態のままディスクプレイヤ１の使用が継続されると、ディスク２の回転の安定性を欠いてディスク２を傷付けてしまったり、正常な使用状態では想定されない不具合が生じたりするおそれがある。
【００５５】
そこでディスクプレイヤ１では、このような場合には、ディスク２の回転動作が強制的に禁止されるようになっている（ステップＳ１３、Ｓ１７）。これによりディスクプレイヤ１は、電気機器が傾いた状態で使用されることによる不具合を回避させるとともに、ユーザに対して、ディスクプレイヤ１の傾斜を修正する作業を、より強く促すことが可能となっている。
【００５６】
またディスクプレイヤ１の傾斜が重度の異常範囲には達していなくても、その傾斜が許容範囲を超えた状態のまま、ディスクプレイヤ１の使用が長時間継続されると、ディスク２の回転の安定性を欠いてディスク２を傷付けてしまったり、正常な使用状態では想定されない不具合が生じたりする可能性が高まる。
【００５７】
そこでディスクプレイヤ１では、このような場合にも、ディスク２の回転動作が強制的に禁止されるようになっている（ステップＳ１４、Ｓ１７）。これによりディスクプレイヤ１は、電気機器が傾いた状態で使用されることによる不具合を回避させるとともに、ユーザに対して、ディスクプレイヤ１の傾斜を修正する作業を、より強く促すことが可能となっている。
【００５８】
またディスクプレイヤ１の傾斜が許容範囲を超えた上で、更にディスクプレイヤ１の内部の温度が上昇し過ぎた場合には、この状態のままディスクプレイヤ１の使用が継続されると、ディスクプレイヤ１の内部に過剰に熱がこもるおそれがある。特に、ディスクプレイヤ１が傾斜していることによって、発熱量の大きい部品が下方に位置している場合（他の部品の温度が上がりやすくなる）には、このような事態となりやすい。
【００５９】
そこでディスクプレイヤ１では、このような場合にも、ディスク２の回転動作が強制的に禁止されるようになっている（ステップＳ１５、Ｓ１７）。これによりディスクプレイヤ１は、電気機器が傾いた状態で使用されることによる不具合を回避させるとともに、ユーザに対して、ディスクプレイヤ１の傾斜を修正する作業を、より強く促すことが可能となっている。
【００６０】
以上に説明したように、ディスクプレイヤ１は、その傾斜が許容範囲を超えている場合に、催促メッセージを表示してユーザに傾斜の修正を促す一方、更に一定の条件（ステップＳ１３〜Ｓ１５）を満たす場合に、ディスクの回転動作（ディスクプレイヤ１が行う動作の少なくとも一部と見ることもできる）を禁止するようになっている。
【００６１】
そのためディスクプレイヤ１は、傾きが許容範囲を超えると直ちに動作が禁止されるものに比べ、自機が傾いた状態で使用されることによる不具合を、その利便性が出来るだけ損なわれないように、回避させることが可能となっている。
【００６２】
なお傾斜センサ１７の設計や配置については、催促メッセージの表示や回転動作の禁止が、出来るだけ適切なタイミングで実行されるように、配慮されることが望まれる。例えば、ディスクプレイヤ１の傾きの許容範囲について予め調査がなされ、先述した角度αがこの許容範囲の上限にほぼ一致するように、傾斜センサ１７が設計および配置されることが望まれる。またディスクプレイヤ１の傾きがどの程度の角度を超えた場合に、ディスクプレイヤ１の動作を禁止させるべきか（傾きが重度の異常範囲にあるとして扱うか）について予め調査がなされ、先述した角度βがこの角度にほぼ一致するように、傾斜センサ１７が設計および配置されることが望まれる。
【００６３】
またディスクプレイヤ１の構成や動作等の具体的内容については、上述したものに限られず、種々の変形を加えることが可能である。例えば、ステップＳ１３〜Ｓ１５の動作は、ディスクプレイヤ１の傾斜を修正する必要性が特に高いと認められるか否かを判断し、この判断結果に応じて、ディスクの回転動作を禁止するか否かを決める動作の一例である。そのため本実施形態の変形例として、これらの動作（ステップＳ１３〜Ｓ１５）のうちの一部が省略されるようにしても構わず、逆に、同趣旨の動作が別途実行されるようにしても構わない。
【００６４】
また上述したステップＳ１２の動作は、催促メッセージを表示させるものとなっているが、催促メッセージを表示させる代わりに、或いは、表示させるとともに、催促メッセージが音声として出力されるようになっていても構わない。また催促メッセージの具体的内容については、ユーザにディスクプレイヤ１の傾斜の修正を促すという目的が達せられる限り、種々の態様とすることが可能である。
【００６５】
また上述した保護動作の実行に関わる装置（傾斜監視装置）は、ディスクプレイヤ１を形成する他の装置から独立した態様となっていても良く、ディスクプレイヤ１を形成する他の装置と一体化した態様となっていても良い。また傾斜監視装置は、ディスクプレイヤだけでなく、種々の電気機器に適用され得るものであり、特に、推奨設置方向が設定されている電気機器に対して好適である。
【００６６】
以上、本発明の実施形態について説明したが、本発明はこの内容に限定されるものではない。また本発明は、その趣旨を逸脱しない限り、種々の形態によって実施可能である。
【産業上の利用可能性】
【００６７】
本発明は、設置方向が問題となる種々の電気機器に利用することができる。
【符号の説明】
【００６８】
１    ディスクプレイヤ（電気機器）
２    ディスク
１１    ディスクドライバ
１２    映像音声処理部
１３    操作部
１４    制御部
１５    付属ディスプレイ
１６    傾斜監視部
１７    傾斜センサ
１８    温度センサ
１９    計時部
２１    プリント基板
３０    曲面
３１    平板
３２    球状体
３３    穴
３４    溝
３５    電極
３６    ストッパ
【図１】
2011146313.tif 000003
【図２】
2011146313.tif 000004
【図３】
2011146313.tif 000005
【図４】
2011146313.tif 000006
【図５】
2011146313.tif 000007